(57)【要約】【課題】ローラの外周の一部にゴム等の摩擦係数の高い材料を使用し、残りの部分を樹脂や金属等の摩擦係数の低い材料とした２種類の材質の部材を組み合わせた紙葉媒体分離ローラにおいては、両部材の境界線で紙葉媒体の端面が捲れ上がるという問題がある。【解決手段】ローラを構成する摩擦係数の低い円状部材の外周の片側に、溝２ｄと斜面を持つ凸部２ｅを並べて２か所形成し、摩擦係数の高い円弧状部材の両端に凸部３ｂ、３ｃ  を形成し、この凸部の頂部および凸部の両側の外周面に面取りによる斜面を形成し、前記円状部材の溝に円弧状部材の凸部をはめて一体に構成し、紙葉媒体の搬送方向に直交する方向の両部材同士の境界線を分割すると共に両部材の凸部の斜面を互いに入り込ませて両部材の外径方向の段差がなだらかにつながるようにしたことを特徴とする。【選択図】図１
2010076918.tif 000002
【特許請求の範囲】
【請求項１】
ローラの外周の一部にゴム等の摩擦係数の高い材料を使用し、残りの部分を樹脂や金属等の摩擦係数の低い材料とした２種類の材質の部材を組み合わせた紙葉媒体分離ローラにおいて、
ローラを構成する摩擦係数の低い円状部材の外周の一側に、溝とこの溝に並べた斜面を持つ凸部とを間隔をあけて２か所設け、
摩擦係数の高い円弧状部材の両端に凸部を形成し、この凸部の頂部および凸部の両側の外周面に面取りによる斜面を形成し、
前記円状部材の溝に前記円弧状部材の凸部をはめて一体に構成し、紙葉媒体の搬送方向に直交する方向の両部材同士の接合部の境界を前記溝と凸部とにより境界線を分割すると共に両部材の凸部の斜面を互いに入り込ませて両部材の外径方向の段差がなだらかにつながるようにしたことを特徴とする紙葉媒体分離ローラ。
【請求項２】
請求項１において、円状部材の溝をＶ字状にし、円弧状部材の凸部をＶ字状にして前記円状部材の溝に前記円弧状部材の凸部をはめて一体に構成したことを特徴とする紙葉媒体分離ローラ。
【発明の詳細な説明】
【技術分野】
【０００１】
本発明は、航空機の搭乗券、列車の座席指定券、各種の予約券等の発行および情報の処理、さらに予約券等と金券等との交換や発行処理等を行う券類発行装置や紙幣の入出金処理機能を持つ現金処理装置といった紙葉媒体を扱う紙葉媒体分離部の部分摩擦方式の紙葉媒体分離ローラに関する。
【背景技術】
【０００２】
一般的に、紙葉媒体分離部の分離ローラは、ローラの外周の一部にゴム等の摩擦係数の高い材料を使用し、残りの部分を摩擦係数の低い樹脂材料や金属材料とした２種類の材質の材料を組み合わせている部分ゴム構造の分離ローラを用いている。
従来の構造例を図７、図８、図９を用いて説明する。
シャフト１１に複数のボス１２が図示しないピンによって固定されている。
【０００３】
その各々のボス１２にローラゴム１３をはめ込んでフィードローラアッセンブリを構成している。このフィードローラアッセンブリは両端を図示しないフレームにベアリングを介して支持され、図示しない駆動伝達部から駆動を受けて回転する構造となっている。
シャフト１１の両端には図示しないベアリングでフィードローラアッセンブリの軸方向の位置を決める段差１１ａおよび突起１１ｂが設けられている。
【０００４】
図８にボス１２の単体とローラゴム１３のそれぞれの説明図を示す。
ボス１２には、シャフト１１を通す穴１２ａ、ピンを打ち込むことによりシャフト１１に固定する孔１２ｂが設けてある。また、ローラゴム１３をはめ込む突起１２ｃがあり、ローラゴム１３は係止孔１３ａをこの突起１２ｃにはめ込むことで図７および図９に示す如く、ボス１２に組み付けられ、ローラゴム１３とボス１２との接合部に境界１４が形成される（例えば、特許文献１参照）。
【特許文献１】特許第３９２８７５７号公報
【発明の開示】
【発明が解決しようとする課題】
【０００５】
しかしながら、上述した従来の技術においては、紙葉媒体を分離・搬送する際に、紙葉媒体の搬送方向に回転するローラの外周のゴムと樹脂や金属の部分の接合部の境界が、紙葉媒体の端面に当たると、紙葉媒体の端面が捲れ上がり、紙葉媒体を傷つけてしまうという不具合がある。特に、多湿環境下で紙葉媒体が湿気を含み、柔らかな状態になると一層ひどく発生しやすい。
【０００６】
旅客交通分野においては、媒体の裏面に磁気ストライプを設け、磁気化情報を付与した磁気化媒体から、情報を保持させたＱＲコードといった２次元バーコードを印字することで、磁気ストライプのない安価なチケットが普及してきている。このようなチケットは磁気ストライプを設ける必要がないことから、チケットの原紙も廉価のものを使用するユーザーが増えてきていることにより、紙葉媒体の質自体が強度の低い媒体となってきているためによる。
【０００７】
本発明は、このような問題を解決することを課題とする。
【課題を解決するための手段】
【０００８】
そこで本発明は、ローラの外周の一部にゴム等の摩擦係数の高い材料を使用し、残りの部分を樹脂や金属等の摩擦係数の低い材料とした２種類の材質の部材を組み合わせた紙葉媒体分離ローラにおいて、ローラを構成する摩擦係数の低い円状部材の外周の一側に、溝とこの溝に並べた斜面を持つ凸部とを間隔をあけて２か所形成し、摩擦係数の高い円弧状部材の両端の中央に凸部を形成し、この凸部の頂部および凸部の両側の外周面に面取りによる斜面を形成し、前記円状部材の溝に円弧状部材の凸部を合わせるようにはめて一体に構成し、紙葉媒体の搬送方向に直交する方向の両部材同士の接合部の境界を前記溝と凸部とにより境界線を分割すると共に両部材の凸部の斜面を互いに入り込ませて両部材の外径方向の段差がなだらかにつながるようにしたことを特徴とする。
【発明の効果】
【０００９】
このようにした本発明は、繰り出される紙葉媒体に対して、摩擦の作用に係数の高い部材と摩擦係数の低い部材の接合部の境界が溝と凸部により段階的に形成され、かつ両部材の外径方向の段差がなだらかにつながるようにしたことにより、常温常湿環境下のみならず、多湿環境下においても、紙葉媒体の端面に両部材の接合部の境界が接触しても、端面を捲り上げることがなく、紙葉媒体を傷めない安定した分離ローラとすることができるという効果が得られる。
【発明を実施するための最良の形態】
【００１０】
以下、図面を参照して本発明による実施例を説明する。
【実施例１】
【００１１】
図１は実施例１を示す説明図である。
図において、１はシャフトであり、複数のボス２が図示しないピンによって固定されている。
その各々のボス２にローラゴム３をはめ込んでフィードローラアッセンブリを構成している。このフィードローラアッセンブリは両端を図示しないフレームにベアリングを介して支持され、図示しない駆動伝達部から駆動を受けて回転する構造となっている。
【００１２】
シャフト１の両端には図示しないベアリングでフィードローラアッセンブリの軸方向の位置を決める段差１ａおよび突起１ｂが設けられている。
図２にボス２の単体とローラゴム３のそれぞれの説明図を示す。
円状形のボス２には、シャフト１を通す穴２ａおよびピンを打ち込むことによりシャフト１に固定する孔２ｂが設けてある。また、ローラゴム３をはめ込む突起２ｃがある。
【００１３】
大略円弧状のローラゴム３は、係止孔３ａをこの突起２ｃにはめ込むことでボス２に組み付けられる。
さらに、ボス２には孔２ａを中心として、溝２ｄと斜面を持つ凸部２ｅを並べて形成し、この溝２ｄと斜面を持つ凸部２ｅは所定の角度離れた位置にも設けて２か所に形成してある。本実施例の場合は、溝２ｄと斜面を持つ凸部２ｅと他方の溝および斜面を持つ凸部は１８０度離れた位置となっている。したがって、これらの溝２ｄの両側の凸部２ｅの頂点は斜面により鋭角に尖ることなくなだらかにボス２の外形に結ばれる。
【００１４】
また、ローラゴム３は両端の中央に凸部３ｂ、３ｃが形成してあり、この凸部３ｂ、３ｃの頂部および凸部３ｂ、３ｃの両側の外周面には大きな面取りによる斜面３ｄ、３ｅが施されている。
このようにしたローラゴム３の係止孔３ａを、ボス２の突起２ｃにはめ込むと、図１に示す如く、ローラゴム３の凸部３ｂ、３ｃがボス２の溝２ｄと他方の溝のそれぞれにはまり込み、ローラゴム３の凸部３ｂ、３ｃとボス２の斜面を持つ凸部２ｅはそれぞれの先部が互いに行き違うように入り込ませた状態に位置する入れ子構造となる。
【００１５】
この入れ子状態にローラゴム３とボス２を組み付けた状態をローラ外周正面から見た図を図３に示す。これにより、ローラゴム３とボス２の接合部の境界が分割されていることがわかる。本実施例では、両側の境界５ａと境界５ｂは同じ長さであり、境界５ａと５ｂの合計と境界５ｃとを同じ長さに設定した。これは、ローラゴム３の組み立て時に方向性を持たせずに組み付けることができて組み間違いを防止するためである。よって、境界は機能上は必ずしもこのようにしなくてもよく、両側の境界の長さは異なっていてもよく、両側の境界の和と中程の境界の長さとが等しくなくてもよい。
【００１６】
図４は本願の紙葉媒体分離ローラを適用した券類発行装置の概略説明図である。
単票状の紙葉媒体１０１、ロール状の媒体１０２をそれぞれ収納するスペースを設け、ロール状媒体１０２を所定の長さの紙葉媒体に切断するカッタ１０３、媒体の表面に印字する印字部１０４、磁気化情報を書き込みあるいは読み取る磁気部１０５、処理した媒体を集積し、１枚でも束でも排出することができる挿入兼排出部１０６が設けてある。
【００１７】
また、排出した紙葉媒体を操作者が取り忘れた際に、機器内に取り込む取り忘れ取込み部１０７がある。
挿入兼排出部１０６には、１枚ごとに挿入された媒体に対して、磁気の読み書き、追加印字といった処理を施すために図示しないシャッタや吸入検知機構が設けてある。
さらに、挿入された媒体に図示しない上位の指示に従って所定の処理をするため、追加印字部１０８、回収スタッカ部１０９、指示に従い挿入媒体の搬送先を切り替えるブレード１１０ａ、１１０ｂが設けてある。
【００１８】
紙葉媒体１０１の収納部は、上面の紙葉媒体をピッカーローラ１１２に押し当てる所定の位置に図示しない制御機構で制御するステージ１１１で構成されている。
紙葉媒体収納部の搬送方向には搬送ローラを構成するフィードローラアッセンブリ１００、ゲートローラ１１３が配置されており、複数枚の紙葉媒体が搬送されることを防いでいる。
【００１９】
このような構成の券類発行装置によると、紙葉媒体１０１を積載したステージ１１１は図示しない駆動機構と位置制御により、ピッカーローラ１１２に紙葉媒体１０１を押し付ける。
そこで、ピッカーローラ１１２を搬送方向に回転させ、次の搬送ローラを構成するフィードローラアッセンブリ１００、ゲートローラ１１３に搬送する。
【００２０】
本実施例では、ピッカーローラもフィードローラアッセンブリ１００と同様に部分ゴム構造を用い、回転方向のピッカーローラの部分ゴム位置とフィードローラの部分ゴム位置を合わせて回動させている。これは、紙葉媒体に圧接させたピッカーローラ１１２を分離方向に回動し、ローラ外周の摩擦係数の高いゴム部分で送り、次のフィードローラアッセンブリ１００に渡し、続いて紙葉媒体に圧接する摩擦係数の低い外周部では紙葉媒体を送らなくすることで、２枚目の紙葉媒体が１枚目と連続して繰り出されることなく、分離給紙するためである。
【００２１】
図３に示す如く、本実施例では繰り出される紙葉媒体にとって、摩擦係数の高いローラゴム３と摩擦係数の低い合成樹脂や金属製（本実施例では合成樹脂製。）によるボス２の接合部の境界が図９に示す従来技術に比較して５０％ずつ順に接することになる。
上述した本実施例によると、繰り出される紙葉媒体に対して、摩擦の作用に係数の高いローラゴムと摩擦係数の低い材料のボスの境界が段階的に形成され、かつ両材料のローラの外径方向の段差がなだらかにつながるようにしたことにより、常温常湿環境下のみならず、多湿環境下においても、紙葉媒体の端面にローラゴムとボスの境界が接触しても、端面を捲り上げることがなく、紙葉媒体を傷めない安定した分離部とすることができる。
【実施例２】
【００２２】
本実施例は、図５に示す如く、大略円弧状のローラゴム３にＶ字状で先端に向けて面取りの斜面を有する凸部３ｆを両端に形成した例である。
図示しないが、ボス２にはローラゴム３のＶ字状の凸部３ｆに対応するＶ字状の溝が斜面を持つ凸部２ｆ、２ｇと共に形成され、シャフトを通すボスの穴を中心に１８０度離れた位置に設けてあり、上記実施例と同様にボスの溝の両側の頂点は鋭角にとがることなくなだらかに外形と結ばれている。また、ローラゴム３のＶ字状の凸部３ｆおよびこのＶ字状の凸部３ｆの根元に対応するボス２に設けた凸部２ｆ、２ｇは、紙葉媒体の搬送方向に対して強度を保てる最小限の水平部を設けると共に面取りをして斜面が形成してあり、その両者の斜面が互いに行き違うように入り込ませた状態となって接合部の境界５はＶ字状となる。
【００２３】
したがって、図６に示す如く、ボス２の凸部２ｃにローラゴム３の係止孔３ａをはめることにより、Ｖ字状の凸部３ｆはボス２のＶ字状の溝にはまって一体となり、ボスとローラゴム３の外径方向の高さは同一であり、それぞれの接合端には面取りの斜面により段差が生じないようになだらかにつながるようになっている。
以上説明した本実施例によると、ローラゴムのＶ字状の凸部がボスのＶ字状の溝にはまり、ローラゴムのＶ字状の凸部とボスのＶ字状の溝に沿った凸部とにより、ボスとローラゴムとの境界は滑らかに変化することになり、多湿環境下においも、紙葉媒体の端面にローラゴムとボスの境界が接触しても、端面を捲り上げることがなく、紙葉媒体を傷めない安定した分離部とすることができる。
【００２４】
以上本願発明の実施例を紙葉媒体を分離搬送する分離部のフィードローラを例として説明したが、本願発明は、フィードローラに限らず、ピッカーローラ等の２種類以上の材質を組み合わせて構成する搬送ローラすべてに適用することが可能である。
【図面の簡単な説明】
【００２５】
【図１】実施例１のフィードローラアッセンブリを示す説明図
【図２】ボスとローラゴムの説明図
【図３】ボスとローラゴムのはめ込み状態を示す平面説明図
【図４】紙葉媒体分離ローラを適用した券類発行装置の概略説明図
【図５】実施例２のローラゴムの説明図
【図６】ボスとローラゴムのはめ込み状態を示す平面説明図
【図７】従来技術のフィードローラアッセンブリを示す説明図
【図８】ボスとローラゴムの説明図
【図９】ボスとローラゴムのはめ込み状態を示す平面説明図
【符号の説明】
【００２６】
１  シャフト
１ａ  段差
１ｂ  突起
２  ボス
２ａ  孔
２ｂ  孔
２ｃ  突起
２ｄ  溝
２ｅ  凸部
２ｆ、２ｇ  凸部
３  ローラゴム
３ａ  係止孔
３ｂ、３ｃ  凸部
３ｄ  斜面
３ｅ  斜面
３ｆ  凸部
１００  フィードローラアッセンブリ
１０１  紙葉媒体
１０２  ロール状媒体
１０３  カッタ
１０４  印字部
１０５  磁気部
１０６  挿入兼排出部
１０７  取り忘れ取込み部
１０８  追加印字部
１０９  回収スタッカ部
１１０ａ、１１０ｂ  ブレード
１１１  ステージ
１１２  ピッカーローラ
１１３  ゲートローラ
【図１】
2010076918.tif 000003
【図２】
2010076918.tif 000004
【図３】
2010076918.tif 000005
【図４】
2010076918.tif 000006
【図５】
2010076918.tif 000007
【図６】
2010076918.tif 000008
【図７】
2010076918.tif 000009
【図８】
2010076918.tif 000010
【図９】
2010076918.tif 000011